(57)【特許請求の範囲】
【請求項１】
複数の第１接続端子と、
前記複数の第１接続端子にそれぞれ接続される複数の第２接続端子と、
前記複数の第１接続端子を保持する第１ハウジングと、
前記複数の第２接続端子を保持する第２ハウジングと、
前記第１ハウジングと前記第２ハウジングとが嵌合されたとき、前記複数の第１接続端子と前記複数の第２接続端子との各接点間に介在する複数の絶縁部材と、
前記第１ハウジングと前記第２ハウジングとの嵌合により積層構造となった前記複数の第１接続端子、前記複数の第２接続端子、及び前記複数の絶縁部材をこれらの積層方向に押圧する押圧力を発生する押圧機構とを備え、
前記押圧機構は、前記第１ハウジングに回転可能に支持された回転部材と、前記回転部材の回転によって前記積層方向に圧縮される弾性部材と、前記弾性部材の弾性力を受けて前記押圧力として出力する出力部材とを有し、
前記第１ハウジングは、導電性を有する外側ハウジング部材と、前記複数の第１接続端子を挟んで互いに対向し、前記外側ハウジング部材と前記複数の第１接続端子との間に介在する絶縁性の一対の壁部を有する内側ハウジング部材とを有し、
前記出力部材は、前記第１ハウジングと前記第２ハウジングとが嵌合されていないとき、前記一対の壁部に当接することによって前記積層方向に支持される
コネクタ装置。
【請求項２】
前記出力部材は、前記一対の壁部の前記積層方向の端部にそれぞれ当接する一対の被支持部と、前記一対の被支持部の間に形成され、前記弾性部材の弾性力を受ける受圧部とを有する、
請求項１に記載のコネクタ装置。
【請求項３】
前記内側ハウジング部材と前記外側ハウジング部材との間には、前記第１ハウジングと前記第２ハウジングとの嵌合方向の隙間が形成され、
前記出力部材は、前記一対の被支持部の少なくとも一部が前記隙間に介在することで、前記第１ハウジングに対する前記嵌合方向及びその逆方向への移動が規制されている、
請求項１又は２に記載のコネクタ装置。
【発明の詳細な説明】
【技術分野】
【０００１】
本発明は、それぞれが複数の接続端子を保持する２つのハウジングを嵌合した後に、これら両ハウジングの複数の接続端子を押圧することが可能な押圧機構を備えたコネクタ装置に関する。
【背景技術】
【０００２】
従来、例えば電気自動車の駆動源としての電気モータに電流を供給する電流供給経路に設けられ、電力ハーネス同士、又は電力ハーネスとモータもしくはインバータとの間を着脱可能とするコネクタが用いられている。この種のコネクタとして、第１コネクタ部と第２コネクタ部とを結合し、両コネクタ部のそれぞれの接合端子同士を押圧して接触させるものが知られている（例えば、特許文献１，２参照）。
【０００３】
特許文献１，２に記載されたコネクタは、複数の第１接合端子、及び複数の第１接合端子に一体的に固定された複数の絶縁部材が収容された第１ターミナルハウジングを有する第１コネクタ部と、複数の第２接続端子が収容された第２ターミナルハウジングを有する第２コネクタ部とを備え、第１ターミナルハウジングと第２ターミナルハウジングとを嵌合させると、第１接合端子と第２接合端子とが絶縁部材を介して交互に配置される積層状態となるように構成されている。このコネクタはさらに、積層状態となった複数の第１接合端子、複数の第２接合端子、及び複数の絶縁部材を積層方向に押圧することで、複数の第１接続端子と複数の第２接続端子とを各接点にて一括して固定し、電気的に接続させる接続部材を第１ターミナルハウジング内に備えている。
【０００４】
この接続部材は、締め付け工具を嵌合させる異形穴が形成された大径部と、大径部と一体に形成された筒状の小径部と、小径部の内部空間に一端部が収容されたコイルバネからなる弾性部材とを有している。小径部の外周面には雄ネジが形成され、この雄ネジは第１ターミナルハウジングの接続部材挿入孔の内周面に形成された雌ネジに螺合している。
【０００５】
しかして、大径部及び小径部を締め付け工具によって回転させると、大径部及び小径部の軸方向移動によって弾性部材が圧縮され、弾性部材の弾性力（復元力）によって複数の絶縁部材のうち最も接続部材に近い絶縁部材が積層方向に押圧され、これにより複数の第１接続端子と複数の第２接続端子とが電気的に接続される。
【先行技術文献】
【特許文献】
【０００６】
【特許文献１】特開２０１１−１１３９４２号公報（図９）
【特許文献２】特開２０１１−１５９５９０号公報
【発明の概要】
【発明が解決しようとする課題】
【０００７】
しかし、例えば本出願人が別途提案（特願２０１１−９０２７）しているように、第２ターミナルハウジング内に複数の絶縁部材を収容し、第１ターミナルハウジングと第２ターミナルハウジングの未嵌合状態で、第１ターミナルハウジングの接続部材と、この接続部材に最も近い第１接合端子との間に積層方向の隙間が形成される場合には、接続部材の押圧力（弾性部材の弾性力）を受ける受け部材を、例えば弾性部材の一端に接着剤により接着して保持する必要がある。この場合、コネクタの強度、より詳しくは、弾性部材の一端に対する受け部材の固定位置が接着剤の接着力に依存してしまう。また、第１コネクタ部の第１ターミナルハウジングの内部で弾性部材の一端に受け部材を接着する作業が困難性を伴うこととなる。
【０００８】
本発明は、上記の事情に鑑みてなされたものであり、その目的は、複数の接続端子をそれぞれ保持する一対のハウジングが嵌合されていないとき、複数の接続端子を押圧する押圧力の出力部材をハウジング内に支持することが可能なコネクタ装置を提供することにある。
【課題を解決するための手段】
【０００９】
本発明は、上記課題を解決することを目的として、複数の第１接続端子と、前記複数の第１接続端子にそれぞれ接続される複数の第２接続端子と、前記複数の第１接続端子を保持する第１ハウジングと、前記複数の第２接続端子を保持する第２ハウジングと、前記第１ハウジングと前記第２ハウジングとが嵌合されたとき、前記複数の第１接続端子と前記複数の第２接続端子との各接点間に介在する複数の絶縁部材と、前記第１ハウジングと前記第２ハウジングとの嵌合により積層構造となった前記複数の第１接続端子、前記複数の第２接続端子、及び前記複数の絶縁部材をこれらの積層方向に押圧する押圧力を発生する押圧機構とを備え、前記押圧機構は、前記第１ハウジングに回転可能に支持された回転部材と、前記回転部材の回転によって前記積層方向に圧縮される弾性部材と、前記弾性部材の弾性力を受けて前記押圧力として出力する出力部材とを有し、前記第１ハウジングは、導電性を有する外側ハウジング部材と、前記複数の第１接続端子を挟んで互いに対向し、前記外側ハウジング部材と前記複数の第１接続端子との間に介在する絶縁性の一対の壁部を有する内側ハウジング部材とを有し、前記出力部材は、前記第１ハウジングと前記第２ハウジングとが嵌合されていないとき、前記一対の壁部に当接することによって前記積層方向に支持されるコネクタ装置を提供する。
【００１０】
また、前記出力部材は、前記一対の壁部の前記積層方向の端部にそれぞれ当接する一対の被支持部と、前記一対の被支持部の間に形成され、前記弾性部材の弾性力を受ける受圧部とを有するとよい。
【００１１】
また、前記内側ハウジング部材と前記外側ハウジング部材との間には、前記第１ハウジングと前記第２ハウジングとの嵌合方向の隙間が形成され、前記出力部材は、前記一対の被支持部の少なくとも一部が前記隙間に介在することで、前記第１ハウジングに対する前記嵌合方向及びその逆方向への移動が規制されているとよい。
【発明の効果】
【００１２】
本発明に係るコネクタ装置によれば、複数の接続端子をそれぞれ保持する一対のハウジングが嵌合されていないとき、複数の接続端子を押圧する押圧力の出力部材をハウジング内に支持することが可能となる。
【図面の簡単な説明】
【００１３】
【図１Ａ】本発明の実施の形態に係るコネクタ装置を構成する雄コネクタ及び雌コネクタの構成例を示す外観図である。
【図１Ｂ】雄コネクタ及び雌コネクタの断面図である。
【図２Ａ】雄側ハウジングと雌側ハウジングとが嵌合し、雄コネクタと雌コネクタが結合された状態におけるコネクタ装置の構成例を示す外観図である。
【図２Ｂ】雄コネクタ及び雌コネクタが結合されたコネクタ装置の断面図である。
【図２Ｃ】押圧機構が作動した状態を示すコネクタ装置の断面図である。
【図３】押圧機構の構造及び動作を示し、（ａ）は回転部材及びカムリングの斜視図、（ｂ）〜（ｄ）は回転部材及びカムリングの動作状態を示す側面図である。
【図４】出力部材の構成例を示し、（ａ）は側面図、（ｂ）は斜視図である。
【図５】雄側ハウジングの第２エレメント及び第３エレメントの構成例を示し、（ａ）は図１Ａと同方向から見た平面図、（ｂ）は斜視図である。
【図６】出力部材が一対の壁部に支持された状態を示し、（ａ）は平面図、（ｂ）は斜視図である。
【図７】雄コネクタの構成例を示し、（ａ）は雌側ハウジングに嵌合される側の端部を示す斜視図、（ｂ）は斜視断面図である。
【図８】（ａ）は、図７（ａ）とは異なる角度から見た雄コネクタの斜視図であり、（ｂ）は、その斜視断面図である。
【図９Ａ】（ａ）は図８（ａ）のＡ−Ａ線断面図であり、（ｂ）は（ａ）の部分拡大図である。（ｃ）は、（ｂ）において出力部材が積層方向に移動した状態を示す図である。
【図９Ｂ】図９Ａ（ｂ）において出力部材及びコイルバネの図示を省略した説明図である。
【発明を実施するための形態】
【００１４】
［実施の形態］
次に、本発明の実施の形態について、図１Ａ〜図９Ｂを参照して詳細に説明する。
【００１５】
図１Ａは、本発明の実施の形態に係るコネクタ装置を構成する雄コネクタ及び雌コネクタの構成例を示す外観図であり、図１Ｂは雄コネクタ及び雌コネクタの断面図である。
【００１６】
このコネクタ装置１０は、雄コネクタ１１及び雌コネクタ１２を有している。雄コネクタ１１と雌コネクタ１２とは、雄コネクタ１１の雄側ハウジング２１と雌コネクタ１２の雌側ハウジング２２とを嵌合することにより結合される。本実施の形態では、雄側ハウジング２１の一部が雌側ハウジング２２に収容されるように、雄側ハウジング２１と雌側ハウジング２２との嵌合が行われる。
【００１７】
雌コネクタ１２には、例えば車両の駆動源としての電気モータに電流を供給するための３本の電線１３１，１３２，１３３が接続されている。この電気モータは例えば三相交流モータであり、３本の電線１３１，１３２，１３３は、三相交流モータに各相電流を供給する。また、この電気モータが搭載される車両としては、例えば電気モータを単一の駆動源とする電気自動車や、電気モータ及び内燃機関であるエンジンを併用して駆動源とする所謂ハイブリッド車が挙げられる。
【００１８】
（雄コネクタ１１の構成）
雄コネクタ１１は、複数の第１接続端子としての雄側接続端子３１１，３１２，３１３と、雄側接続端子３１１，３１２，３１３を保持する第１ハウジングとしての雄側ハウジング２１とを有している。
【００１９】
雄側接続端子３１１，３１２，３１３は、例えば銅合金からなる基材の表面を錫めっきしてなり、一端が平板状の接触片３１１ａ，３１２ａ，３１３ａとして形成されている。また、他端は後述する端子台部２１２ｃを構成する座金片３１１ｃ，３１２ｃ，３１３ｃとして形成されている。接触片３１１ａ，３１２ａ，３１３ａと座金片３１１ｃ，３１２ｃ，３１３ｃとは、連結部３１１ｂ，３１２ｂ，３１３ｂによって一体に連結されている。接触片３１１ａ，３１２ａ，３１３ａと座金片３１１ｃ，３１２ｃ，３１３ｃとは、それぞれの平面の向きが９０°異なっており、連結部３１１ｂ，３１２ｂ，３１３ｂは、この平面の向きを変更する平面変更部としても機能している。
【００２０】
雄側ハウジング２１は、アルミニウム等の導電性を有する金属製の第１エレメント２１１と、第１エレメント２１１に保持された樹脂製の第２エレメント２１２と、第１エレメント２１１及び第２エレメント２１２に保持された樹脂製の第３エレメント２１３とからなる。第２エレメント２１２及び第３エレメント２１３を構成する樹脂材料としては、例えばＰＢＴ（ポリブチレンテレフタレート）、ＰＰＳ（ポリフェニレンサルファイド）、ＰＡ（ポリアミド）等の絶縁性樹脂を用いることができる。なお、第２エレメント２１２と第３エレメント２１３とを一体に形成してもよい。第１エレメント２１１は、本発明の外側ハウジング部材の一例であり、第２エレメント２１２は、本発明の内側ハウジング部材の一例である。
【００２１】
第１エレメント２１１は、雄側接続端子３１１，３１２，３１３の接触片３１１ａ，３１２ａ，３１３ａを収容する筒状の筒部２１１ａと、雄側ハウジング２１を機器のケース等の固定対象物に固定するための図略の貫通孔が形成されたフランジ部２１１ｂとを一体に有している。筒部２１１ａの一端部（フランジ部２１１ｂとは反対側の端部）の外周面には、環状シール部材２３１が保持されている。また、フランジ部２１１ｂの一側面（筒部２１１ａとは反対側の側面）には、環状シール部材２３２が保持されている。
【００２２】
筒部２１１ａには、その内外に貫通する保持孔２１１ｃが形成されている。この保持孔２１１ｃには、後述する回転部材５１が回転可能に保持されている。保持孔２１１ｃの内面には、保持孔２１１ｃの中心に向かって突出し、保持孔２１１ｃの中心軸線と平行に延びる突起２１１ｄが形成されている。また、筒部２１１ａの内部には、保持孔２１１ｃに対向する凸部２１１ｅが形成されている。凸部２１１ｅは、保持孔２１１ｃ側に向かって筒部２１１ａの内面から突き出るように形成されている。
【００２３】
また、筒部２１１ａには、その外周側における保持孔２１１ｃの近傍に、保持孔２１１ｃの中心軸に直交する方向に突出した支持突起２１１ｆが形成されている。支持突起２１１ｆは、保持孔２１１ｃのフランジ部２１１ｂとは反対側の部位に、雄側ハウジング２１と雌側ハウジング２２との嵌合方向（図１Ａ及び図１Ｂに示すＸ軸方向。以下、「コネクタ嵌合方向」という。）に沿って、フランジ部２１１ｂの反対側に向かって突出して形成されている。
【００２４】
また、筒部２１１ａには、図１Ａに示すように、その外周面に雌コネクタ１２の雌側ハウジング２２とランス嵌合するための嵌合突起２１１ｇが設けられている。またさらに、筒部２１１ａには、フランジ部２１１ｂの近傍に、後述する蓋部材６をスライド可能に支持するためのスライド溝２１１ｈが形成されている。
【００２５】
第２エレメント２１２は、その一部が第１エレメント２１１の筒部２１１ａに収容されて、第１エレメント２１１に保持されている。第２エレメント２１２と第１エレメント２１１のフランジ部２１１ｂとの間には、シール部材２３３が配置されている。
【００２６】
第２エレメント２１２は、第１エレメント２１１の筒部２１１ａに収容された一対の壁部２１２ａ，２１２ｂ（図１Ｂには壁部２１２ａのみ示す）と、第１エレメント２１１から突出した部分の端部に形成された端子台部２１２ｃと、一対の壁部２１２ａ，２１２ｂと端子台部２１２ｃとの間に形成され、第３エレメント２１３を保持する保持部２１２ｄとを一体に有している。
【００２７】
保持部２１２ｄには、雄側接続端子３１１，３１２，３１３の連結部３１１ｂ，３１２ｂ，３１３ｂを挿通させる３つの挿通孔２１２ｅが形成されている。この３つの挿通孔２１２ｅの内部には、第２エレメント２１２と雄側接続端子３１１，３１２，３１３の連結部３１１ｂ，３１２ｂ，３１３ｂとの間をシールする３つのシール部材２３４〜２３６がそれぞれ配置されている。
【００２８】
端子台部２１２ｃには、雄側接続端子３１１，３１２，３１３の座金片３１１ｃ，３１２ｃ，３１３ｃが並列して保持されている。座金片３１１ｃ，３１２ｃ，３１３ｃ及び端子台部２１２ｃには、接続対象の端子を固定するためのボルトを挿通させる３つの貫通孔３１ｃが形成されている。
【００２９】
第３エレメント２１３は、雄側接続端子３１１，３１２，３１３のそれぞれに対応して３か所に形成された突起部２１３ａと、突起部２１３ａよりも接触片３１１ａ，３１２ａ，３１３ａ側に形成され、連結部３１１ｂ，３１２ｂ，３１３ｂを案内するガイド部２１３ｂとを有している。そして、第３エレメント２１３は、突起部２１３ａによって雄側接続端子３１１，３１２，３１３の連結部３１１ｂ，３１２ｂ，３１３ｂを支持している。
【００３０】
また、雄コネクタ１１は、第１エレメント２１１に回転可能に支持された回転部材５１、回転部材５１の回転によるカム作用によって回転部材５１の回転軸線方向に進退移動するカムリング５２、及びカムリング５２に一端が当接するコイルバネ５３、コイルバネ５３の他端が当接する金属製の座金５３０、及び座金５３０を収容する凹部が形成された出力部材５４を有して構成される押圧機構５を備えている。回転部材５１及びカムリング５２は、例えばアルミニウム等の金属からなる。
【００３１】
回転部材５１は、有底円筒状であり、円板状の底部５１１と、底部５１１によって一端が閉塞される円筒状の円筒部５１２とを一体に有している。カムリング５２もまた有底円筒状であり、円板状の底部５２１と、底部５２１によって一端が閉塞される円筒状の円筒部５２２とを一体に有している。カムリング５２の底部５２１、及び円筒部５２２の一部は、回転部材５１の円筒部５１２内に収容されている。
【００３２】
回転部材５１は、保持孔２１１ｃの内面に形成された環状の溝に係止された環状保持部材２１４に底部５１１が当接することによって、第１エレメント２１１に対する軸方向移動が規制されている。また、円筒部５１２と保持孔２１１ｃとの間には、環状のシール部材２３７が配置されている。
【００３３】
出力部材５４は、第２エレメント２１２の一対の壁部２１２ａ，２１２ｂに支持されている。出力部材５４と雄側接続端子３１１の接触片３１１ａとの間には、後述する第１絶縁部材４１及び雌側接続端子３２１が挿入される隙間が形成されている。出力部材５４の支持構造、及び押圧機構５の動作の詳細については後述する。
【００３４】
雄コネクタ１１はさらに、回転部材５１の少なくとも一部を覆う蓋部材６を備えている。この蓋部材６は、コネクタ嵌合方向に沿って、第１エレメント２１１に対してスライド可能である。
【００３５】
蓋部材６は、保持孔２１１ｃに保持された回転部材５１の外面を覆うように配置される本体部６０と、スライド溝２１１ｈに係合して本体部６０の一端を支持する第１の支持部６１と、支持突起２１１ｆに係合して本体部６０の他端を支持する第２の支持部６２とを一体に有している。本体部６０には、回転部材５１の底部５１１に形成された工具受容部５１１ａに挿入される工具を挿通させる工具挿通孔６０ａ、及びフランジ部２１１ｂ側へのスライドによって回転部材５１の回転を規制することが可能な突起６０１が形成されている。なお、第１の支持部６１は、本体部６０を挟むように２つ設けられているが、図１Ａでは一方の第１の支持部６１のみを示している。
【００３６】
（雌コネクタ１２の構成）
雌コネクタ１２は、複数の第２接続端子としての雌側接続端子３２１，３２２，３２３と、雌側接続端子３２１，３２２，３２３を保持する第２ハウジングとしての雌側ハウジング２２とを有している。雌側接続端子３２１，３２２，３２３には、電線１３１，１３２，１３３が電気的に接続されている。電線１３１，１３２，１３３は、導電性の金属からなる芯線１３１ａ，１３２ａ，１３３ａを、その先端部を除き、絶縁被膜１３１ｂ，１３２ｂ，１３３ｂで覆って構成されている。芯線１３１ａ，１３２ａ，１３３ａの断面積は、例えば１０〜４０ｍｍ２である。
【００３７】
雌側接続端子３２１，３２２，３２３は、例えば銅合金からなる基材の表面を錫めっきしてなり、一端が平板状の接触片３２１ａ，３２２ａ，３２３ａとして形成されている。また、他端は電線１３１，１３２，１３３の芯線１３１ａ，１３２ａ，１３３ａの先端部を加締め固定する加締め部３２１ｂ，３２２ｂ，３２３ｂとして形成されている。
【００３８】
雌側ハウジング２２は、第１エレメント２２１と、第１エレメント２２１に保持された第２エレメント２２２とからなる。第１エレメント２２１及び第２エレメント２２２の材料としては、雄側ハウジング２１の第２エレメント２１２及び第３エレメント２１３と同様の絶縁性樹脂を用いることができる。
【００３９】
第１エレメント２２１は、雌側接続端子３２１，３２２，３２３の接触片３２１ａ，３２２ａ，３２３ａを収容する収容部２２１ａと、雌側接続端子３２１，３２２，３２３の加締め部３２１ｂ，３２２ｂ，３２３ｂを保持する保持部２２１ｂとを一体に有している。
【００４０】
収容部２２１ａには、雄側ハウジング２１と雌側ハウジング２２の嵌合時において回転部材５１の工具受容部５１１ａに対応する位置に、貫通孔２２１ｃが形成されている。また、収容部２２１ａの外側の面には、図１Ａに示すように、雄コネクタ１１の第１エレメント２１１に設けられた嵌合突起２１１ｇとランス嵌合する嵌合凹部２２１ｄが形成されている。
【００４１】
保持部２２１ｂは、その外周囲の一部が金属製のカバー部材１４によって覆われている。また、電線１３１，１３２，１３３を挿通させる保持部２２１ｂの開口２２１ｅには、電線１３１，１３２，１３３と開口２２１ｅの内面との間を封止するシール部材２２３が配置されている。また、保持部２２１ｂの外面には、雄コネクタ１１の第１エレメント２１１との間を封止するためのシール部材２２４が配置されている。
【００４２】
第２エレメント２２２は、電気絶縁性を有する絶縁材料からなる第１絶縁部材４１、第２絶縁部材４２、第３絶縁部材４３、及び第４絶縁部材４４を保持している。この絶縁材料としては、例えばＰＰＳ（ポリフェニレンサルファイド）、ＰＰＡ（ポリフタルアミド）、ＰＡ（ポリアミド）、ＰＢＴ（ポリブチレンテレフタレート）や、エポキシ系樹脂等の樹脂材料を用いることができる。
【００４３】
第１絶縁部材４１と第２絶縁部材４２との間には接触片３２１ａが、第２絶縁部材４２と第３絶縁部材４３との間には接触片３２２ａが、第３絶縁部材４３と第４絶縁部材４４との間には接触片３２３ａが、それぞれ介在している。
【００４４】
第１絶縁部材４１には、凹部４１ａが形成され、この凹部４１ａに接触片３２１ａが保持されている。同様に、第２絶縁部材４２及び第３絶縁部材４３には、凹部４２ａ，４３ａが形成され、この凹部４２ａ，４３ａに接触片３２２ａ，３２３ａが保持されている。
【００４５】
第２エレメント２２２は、第１絶縁部材４１、第２絶縁部材４２、第３絶縁部材４３、及び第４絶縁部材４４を、接触片３２１ａ，３２２ａ，３２３ａに垂直な方向（Ｙ軸方向）に配列し、これら第１〜第４絶縁部材４１〜４４をＹ軸方向に所定の範囲で移動可能に保持している。
【００４６】
図２Ａは、雄側ハウジング２１と雌側ハウジング２２とが嵌合し、雄コネクタ１１と雌コネクタ１２が結合された状態におけるコネクタ装置１０の構成例を示す外観図である。図２Ｂは、図２Ａの断面図である。
【００４７】
図２Ａ及び図２Ｂでは、雄コネクタ１１の第１エレメント２１１の筒部２１１ａが蓋部材６と共に雌コネクタ１２の第１エレメント２２１の収容部２２１ａに収容され、雄側ハウジング２１と雌側ハウジング２２との嵌合が完了した嵌合状態を示している。
【００４８】
この嵌合状態では、雌側ハウジング２２の第１エレメント２２１における収容部２２１ａに形成された貫通孔２２１ｃが、回転部材５１の工具受容部５１１ａ、及び蓋部材６の工具挿通孔６０ａに対応する位置にあり、貫通孔２２１ｃ及び工具挿通孔６０ａを介して外部から工具受容部５１１ａに工具Ｔを嵌め合わせることが可能である。
【００４９】
また、この嵌合状態では、雄側接続端子３１１の接触片３１１ａが、第１絶縁部材４１に保持された雌側接続端子３２１の接触片３２１ａと第２絶縁部材４２との間に挟まれている。また、雄側接続端子３１２の接触片３１２ａが、第２絶縁部材４２に保持された雌側接続端子３２２の接触片３２２ａと第３絶縁部材４３との間に挟まれている。またさらに、雄側接続端子３１３の接触片３１３ａが、第３絶縁部材４３に保持された雌側接続端子３２３の接触片３２３ａと第４絶縁部材４４との間に挟まれている。
【００５０】
このように、雄側ハウジング２１と雌側ハウジング２２との嵌合状態では、雄側接続端子３１１〜３１３、雌側接続端子３２１〜３２３、及び第１〜第４絶縁部材４１〜４４がＹ軸に平行に積層される。より詳細には、第１絶縁部材４１、雌側接続端子３２１の接触片３２１ａ、雄側接続端子３１１の接触片３１１ａ、第２絶縁部材４２、雌側接続端子３２２の接触片３２２ａ、雄側接続端子３１２の接触片３１２ａ、第３絶縁部材４３、雌側接続端子３２３の接触片３２３ａ、雄側接続端子３１３の接触片３１３ａ、及び第４絶縁部材４４が、積層方向に上記の順序で積層された積層構造となる。
【００５１】
すなわち、第１絶縁部材４１、第２絶縁部材４２、第３絶縁部材４３、及び第４絶縁部材４４は、雄側ハウジング２１と雌側ハウジング２２とが嵌合されたとき、雄側接続端子３１１と雌側接続端子３２１、雄側接続端子３１２と雌側接続端子３２２、及び雄側接続端子３１３と雌側接続端子３２３の各接点間に介在する。
【００５２】
コネクタ装置１０は、雄コネクタ１１と雌コネクタ１２とを結合し、回転部材５１を回転させて押圧機構５に雄側接続端子３１１，３１２，３１３と雌側接続端子３２１，３２２，３２３とを積層方向に押圧する押圧力を発生させ、さらに蓋部材６をスライドさせることにより、雄コネクタ１１と雌コネクタ１２とを接続させる作業工程が完了する。
【００５３】
図２Ｃは、回転部材５１の回転に伴って、カムリング５２が回転部材５１から離間する方向に移動した状態を示している。この状態では、押圧機構５が、積層構造となった雄側接続端子３１１〜３１３、雌側接続端子３２１〜３２３、及び第１〜第４絶縁部材４１〜４４を積層方向に押圧する押圧力を発生している。この押圧力により、雄側接続端子３１１〜３１３と雌側接続端子３２１〜３２３とが、それぞれの接点において互いに接触する方向の荷重を受けて接触している。
【００５４】
また、蓋部材６が、スライド溝２１１ｈ（図１Ａに示す）に案内されてフランジ部２１１ｂ側に移動し、突起６０１が回転部材５１の底部５１１に形成された凹部５１１ｃに係合して、回転部材５１の回転が規制されている。また、蓋部材６の工具挿通孔６０ａが工具受容部５１１ａからずれた位置に移動し、工具Ｔを工具受容部５１１ａに嵌め合わせることが抑止されている。これにより、振動や誤操作等によって回転部材５１が回転し、押圧機構５による押圧力が低下することが抑制されている。
【００５５】
（押圧機構５の構成）
押圧機構５は、雄側ハウジング２１と雌側ハウジング２２との嵌合状態における回転部材５１の回転により、雄側接続端子３１１〜３１３、雌側接続端子３２１〜３２３、及び第１〜第４絶縁部材４１〜４４からなる積層構造をこれらの積層方向に押圧する押圧力を発生する。
【００５６】
図３は、回転部材５１及びカムリング５２の構造及び動作を示し、（ａ）は回転部材５１及びカムリング５２の斜視図、（ｂ）〜（ｄ）は回転部材５１及びカムリング５２の動作状態を示す側面図である。
【００５７】
回転部材５１の底部５１１には、第１の凹部５１１ｂと、第２の凹部５１１ｃとが形成されている。第１の凹部５１１ｂには、雄側ハウジング２１と雌側ハウジング２２との未嵌合状態における回転部材５１の回転を規制する、蓋部材６に設けられた図略の突起が係合する。
【００５８】
円筒部５１２には、シール部材２３７（図１Ｂに示す）を保持するための環状凹所５１２ａが形成されている。また、円筒部５１２の底部５１１とは反対側の端部には、回転部材５１の回転軸線Ｏに平行な方向に突出する摺動突起５１２ｂが形成されている。なお、摺動突起５１２ｂは、円筒部５１２の周方向に等間隔に複数（本実施の形態では２つ）形成されているが、図３（ａ）では、このうちの１つの摺動突起５１２ｂのみを示している。
【００５９】
カムリング５２は、回転部材５１と回転軸線Ｏに沿って相対移動可能に組み合わされ、コイルバネ５３（図１Ｂに示す）によって回転部材５１の底部５１１に向かって付勢されている。カムリング５２の円筒部５２２は、小径部５２２ａと大径部５２２ｂとからなる。大径部５２２ｂの外周面には、円筒部５２２の軸方向に沿って延びるスライド溝５２２ｃが形成されている。スライド溝５２２ｃは、前述の突起２１１ｄ（図１Ｂに示す）にスライド可能に係合し、カムリング５２を雄側ハウジング２１に対して回り止めしている。
【００６０】
小径部５２２ａと大径部５２２ｂとの間には、回転部材５１の回転に伴ってその摺動突起５１２ｂが摺動する摺動面５２３が形成されている。摺動面５２３は、第１の平坦面５２３ａと、第１の平坦面５２３ａに平行な第２の平坦面５２３ｃと、第１の平坦面５２３ａと第２の平坦面５２３ｃとの間に形成された傾斜面５２３ｂとから構成されている。第１の平坦面５２３ａは、第２の平坦面５２３ｃよりも回転部材５１から離間した位置に形成されている。傾斜面５２３ｂは、円筒部５２２の軸方向に対して傾斜し、第１の平坦面５２３ａと第２の平坦面５２３ｃとの間を一定の傾斜角で接続するように形成されている。
【００６１】
大径部５２２ｂには、第２の平坦面５２３ｃに連続して、円筒部５２２の軸方向に窪んだ凹部５２２ｄが形成されている。この凹部５２２ｄには、回転部材５１の摺動突起５１２ｂが嵌合可能である。また、凹部５２２ｄの第２の平坦面５２３ｃとは反対側の端部には、摺動突起５１２ｂの円筒部５２２の周方向一側への移動を規制するように突出したストッパ部５２２ｅが形成されている。
【００６２】
図３（ｂ）は、回転部材５１の摺動突起５１２ｂが、カムリング５２の第１の平坦面５２３ａに当接する位置にある初期状態を示している。この初期状態から回転部材５１がカムリング５２に対して正方向（図３（ａ）の矢印Ｒ１に示す方向）に回転すると、図３（ｃ）に示すように、回転部材５１の摺動突起５１２ｂがカムリング５２の傾斜面５２３ｂ上を摺動し、カムリング５２が回転軸線Ｏに沿って回転部材５１から離間する。
【００６３】
さらに回転部材５１がカムリング５２に対して正方向に回転すると、図３（ｄ）に示すように、回転部材５１の摺動突起５１２ｂがカムリング５２の第２の平坦面５２３ｃ上を摺動する。
【００６４】
さらに回転部材５１がカムリング５２に対して正方向に回転すると、図３（ａ）に示すように、回転部材５１の摺動突起５１２ｂが凹部５２２ｄに嵌合し、回転部材５１の正方向への回転がストッパ部５２２ｅによって規制された状態となる。
【００６５】
上記のように、回転部材５１が正方向に回転することによってカムリング５２が回転軸線Ｏに沿って回転部材５１から離間する方向に移動し、コイルバネ５３が圧縮される。この際、回転部材５１は回転軸線Ｏ方向に移動せず、環状保持部材２１４と摺接する。
【００６６】
コイルバネ５３は、その復元力によって出力部材５４を押圧する。出力部材５４と雄側ハウジング２１の第１エレメント２１１に形成された凸部２１１ｅとの間には、雄側接続端子３１１〜３１３、雌側接続端子３２１〜３２３、及び第１〜第４絶縁部材４１〜４４からなる積層構造が介在するので、圧縮されたコイルバネ５３の復元力が上記積層構造を積層方向に押圧する押圧力となる。すなわち、出力部材５４は、コイルバネ５３の弾性力を受け、この弾性力を積層構造を押圧する押圧力として出力する。
【００６７】
（出力部材５４の構成及び支持構造）
図４は、出力部材５４の構成例を示し、（ａ）は側面図、（ｂ）は斜視図である。この出力部材５４の材料としては、雄側ハウジング２１の第２エレメント２１２及び第３エレメント２１３と同様の絶縁性樹脂を用いることができる。
【００６８】
図４（ａ）及び（ｂ）に示すように、出力部材５４は、一対の被支持部５４１，５４２と、被支持部５４１と被支持部５４２との間に形成された受圧部５４３とを一体に有している。受圧部５４３は、図１Ｂに示すように、座金５３０及びコイルバネ５３の一端部を収容する凹部の底面として形成され、コイルバネ５３の弾性力を受ける平板状に形成されている。
【００６９】
被支持部５４１，５４２は、受圧部５４３と平行な板状の当接片５４１ａ，５４２ａと、当接片５４１ａ，５４２ａに直交する方向に突出した板状の突出片５４１ｂ，５４２ｂとを有するＬ字状に形成されている。当接片５４１ａ，５４２ａと受圧部５４３との間には段差が形成され、この段差によって受圧部５４３が被支持部５４１，５４２に対して窪むように形成されている。
【００７０】
突出片５４１ｂ，５４２ｂは、被支持部５４１，５４２に対して受圧部５４３から離間する方向に突出して形成されている。なお、本実施の形態では、突出片５４１ｂと突出片５４２ｂとが互いに分離して形成されているが、突出片５４１ｂと突出片５４２ｂとを連続して形成してもよい。
【００７１】
出力部材５４は、雄側ハウジング２１と雌側ハウジング２２とが嵌合されていないとき、第２エレメント２１２の一対の壁部２１２ａ，２１２ｂに被支持部５４１，５４２がそれぞれ当接して支持される。
【００７２】
図５は、雄側ハウジング２１の第２エレメント２１２及び第３エレメント２１３の構成例を示し、（ａ）は図１Ａと同方向から見た平面図、（ｂ）は斜視図である。
【００７３】
一対の壁部２１２ａ，２１２ｂは、互いに平行な平板状であり、第３エレメント２１３を保持する第２エレメント２１２の保持部２１２ｄから、端子台部２１２ｃとは反対方向に突出して形成されている。壁部２１２ａと壁部２１２ｂとは、雄側接続端子３１１〜３１３の接触片３１１ａ〜３１３ａを挟んで互いに対向している。
【００７４】
雄側接続端子３１１〜３１３は、第３エレメント２１３のガイド部２１３ｂ（図１Ｂに示す）に案内され、接触片３１１ａ〜３１３ａが第３エレメント２１３の端面から一対の壁部２１２ａ，２１２ｂの間に突出している。第３エレメント２１３には、第１エレメント２１１の筒部２１１ａの内面に係合する２つの係合突起２１３ｃが形成されている。
【００７５】
壁部２１２ａ及び壁部２１２ｂは、四角形状の一角部が長方形状に切り欠かれた切欠き形状を有し、この切り欠かれた部分に、コネクタ嵌合方向に平行な第１の端面２１２ａ１，２１２ｂ１、及びコネクタ嵌合方向に垂直な第２の端面２１２ａ２，２１２ｂ２が形成されている。
【００７６】
図６は、出力部材５４が一対の壁部２１２ａ，２１２ｂに支持された状態を示し、（ａ）は平面図、（ｂ）は斜視図である。
【００７７】
出力部材５４は、被支持部５４１，５４２が一対の壁部２１２ａ，２１２ｂにおける上記積層構造の積層方向の一端部（回転部材５１側の端部）に当接して支持される。より具体的には、出力部材５４は、被支持部５４１，５４２の当接片５４１ａ，５４２ａが、一対の壁部２１２ａ，２１２ｂの第１の端面２１２ａ１，２１２ｂ１に当接して、上記積層構造の積層方向に支持される。
【００７８】
また、出力部材５４は、被支持部５４１，５４２の突出片５４１ｂ，５４２ｂが一対の壁部２１２ａ，２１２ｂの第２の端面２１２ａ２，２１２ｂ２に当接して、コネクタ嵌合方向に支持される。また、受圧部５４３は、第１の端面２１２ａ１，２１２ｂ１よりも雄側接続端子３１１の接触片３１１ａ側に窪むように配置される。
【００７９】
図７は、雄コネクタ１１の構成例を示し、（ａ）は雌側ハウジング２２に嵌合される側の端部を示す斜視図、（ｂ）は斜視断面図である。
【００８０】
図７に示すように、一対の壁部２１２ａ，２１２ｂは、第１エレメント２１１の筒部２１１ａと雄側接続端子３１１〜３１３の接触片３１１ａ〜３１３ａとの間に介在し、第１エレメント２１１を介した雄側接続端子３１１〜３１３の間（又は雌側接続端子３２１〜３２３の間）の短絡又は漏電を防止する機能を有している。
【００８１】
第１エレメント２１１には、一対の壁部２１２ａ，２１２ｂの第１の端面２１２ａ１，２１２ｂ１との間に出力部材５４の当接片５４１ａ，５４２ａを挟むように、一対の突起２１１ｉ，２１１ｊが形成されている。第１の端面２１２ａ１，２１２ｂ１と一対の突起２１１ｉ，２１１ｊとの間の隙間は、当接片５４１ａ，５４２ａの厚みよりも大きな寸法に形成されている。
【００８２】
本実施の形態では、雄側ハウジング２１と雌側ハウジング２２との未嵌合状態で、出力部材５４の当接片５４１ａ，５４２ａが、コイルバネ５３の弾性力によって第１の端面２１２ａ１，２１２ｂ１に押し付けられるように構成されている。ただし、この未嵌合状態で、当接片５４１ａ，５４２ａが第１の端面２１２ａ１，２１２ｂ１に押し付けられないように、すなわち出力部材５４が積層方向のガタを有するように、一対の壁部２１２ａ，２１２ｂに支持されていてもよい。
【００８３】
図８（ａ）は、図７（ａ）とは異なる角度から見た雄コネクタ１１の斜視図であり、図８（ｂ）は、その斜視断面図である。
【００８４】
図８に示すように、第１エレメント２１１の突起２１１ｊと壁部２１２ｂの第２の端面２１２ｂ２（図５参照）との間には、コネクタ嵌合方向の隙間が形成され、この隙間に出力部材５４の突出片５４２ｂが介在している。すなわち、壁部２１２ｂの第２の端面２１２ｂ２と突起２１１ｊとの間に、出力部材５４の一部（突出片５４２ｂ）が介在している。また、図示は省略しているが、第１エレメント２１１の突起２１１ｉと壁部２１２ａの第２の端面２１２ａ２との間にも、コネクタ嵌合方向の隙間が形成され、この隙間に出力部材５４の突出片５４２ａが介在している。これにより、出力部材５４のコネクタ嵌合方向に沿った両方向（雄側ハウジング２１と雌側ハウジング２２との嵌合方向及びその逆の離脱方向）への移動が規制されている。
【００８５】
図９Ａ（ａ）は図８（ａ）のＡ−Ａ線断面図であり、図９Ａ（ｂ）は図９Ａ（ａ）の部分拡大図である。図９Ａ（ｃ）は、図９Ａ（ｂ）において出力部材５４が積層方向に移動した状態を示す図である。また、図９Ｂは、図９Ａ（ｂ）において出力部材５４及びコイルバネ５３の図示を省略し、壁部２１２ｂと突起２１１ｊとの間の隙間を明示した説明図である。
【００８６】
図９Ｂに示すように、突起２１１ｊには、壁部２１２ｂの第１の端面２１２ｂ１に対向する第１の端面２１１ｊ１と、壁部２１２ｂの第２の端面２１２ｂ２に対向する第２の端面２１１ｊ２とが形成されている。第１の端面２１２ｂ１と第１の端面２１１ｊ１、及び第２の端面２１２ｂ２と第２の端面２１１ｊ２は、それぞれ互いに平行となるように形成されている。
【００８７】
壁部２１２ｂの第１の端面２１２ｂ１と突起２１１ｊの第１の端面２１１ｊ１との間には、第１の隙間Ｓ１が形成されている。また、壁部２１２ｂの第２の端面２１２ｂ２と突起２１１ｊの第２の端面２１１ｊ２との間には、第２の隙間Ｓ２が形成されている。すなわち、第２の隙間Ｓ２は、コネクタ嵌合方向に互いに対向する第２の端面２１２ｂ２と第２の端面２１１ｊ２との間に形成されたコネクタ嵌合方向の隙間である。
【００８８】
第１の隙間Ｓ１は、コネクタ嵌合方向に沿って延びるように形成され、第２の隙間Ｓ２は、第１の隙間Ｓ１の一端部（端子台部２１２ｃ側の端部）からコネクタ嵌合方向に対して直交するように形成されている。このように、壁部２１２ｂと突起２１１ｊとの間には、第１の隙間Ｓ１及び第２の隙間Ｓ２からなるＬ字状の隙間が形成されている。
【００８９】
図９Ａ（ｂ）に示すように、出力部材５４の当接片５４２ａは、壁部２１２ｂの第１の端面２１２ｂ１と突起２１１ｊの第１の端面２１１ｊ１との間、すなわち第１の隙間Ｓ１に介在している。第１の端面２１２ｂ１と第１の端面２１１ｊ１との間の距離は、当接片５４２ａの厚みよりも大きな寸法に設定されているので、当接片５４２ａが壁部２１２ｂの第１の端面２１２ｂ１に当接した状態では、当接片５４２ａと第１の端面２１１ｊ１との間に空間が形成されている。出力部材５４は、この空間の範囲で、当接片５４２ａに垂直な方向（上記積層構造の積層方向）に移動可能である。
【００９０】
また、出力部材５４の突出片５４２ｂは、壁部２１２ｂの第２の端面２１２ｂ２と第２の端面２１２ｂ２に対向する突起２１１ｊの第２の端面２１１ｊ２との間、すなわち第２の隙間Ｓ２に介在している。第２の端面２１２ｂ２と第２の端面２１１ｊ２との間の距離は、突出片５４２ｂの厚みよりも僅かに大きな寸法に設定されている。これにより、出力部材５４は、コネクタ嵌合方向（図９Ａ（ｂ）の左方向）の外力を受けた場合には、突出片５４２ｂが壁部２１２ｂの第２の端面２１２ｂ２に当接し、その反対方向（図９Ａ（ｂ）の右方向）の外力を受けた場合には、突出片５４２ｂが突起２１１ｊの第２の端面２１１ｊ２に当接して、雄側ハウジング２１に対する移動が規制される。なお、突出片５４２ａ、壁部２１２ａ、及び突起２１１ｉについても同様に構成されている。
【００９１】
雄側ハウジング２１と雌側ハウジング２２とが嵌合されると、雄側接続端子３１１〜３１３、雌側接続端子３２１〜３２３、及び第１〜第４絶縁部材４１〜４４が積層構造となるので、出力部材５４が第１絶縁部材４１によってカムリング５２側に押し上げられ、当接片５４１ａ，５４２ａが一対の壁部２１２ａ，２１２ｂの第１の端面２１２ａ１，２１２ｂ１から離間する。この状態で回転部材５１が回転されると、カムリング５２が回転部材５１に対して出力部材５４に接近するように移動し、コイルバネ５３が圧縮される。
【００９２】
出力部材５４は、圧縮されたコイルバネ５３の弾性力を受け、雄側接続端子３１１〜３１３と雌側接続端子３２１〜３２３とを、それぞれの接点において互いに接触させるように、積層方向に押圧する。これにより、各接点における確実な接触が得られる。
【００９３】
なお、第１エレメント２１１への出力部材５４、及び第２エレメント２１２の組み付けは、出力部材５４をコイルバネ５３の弾性力に抗してカムリング５２側に押し付けた状態で、第２エレメント２１２を第３エレメント２１３と共に第１エレメント２１１の筒部２１１ａ内に圧入することにより、行うことができる。
【００９４】
（本実施の形態の作用及び効果）
以上説明した本実施の形態によれば、以下のような効果が得られる。
【００９５】
（１）雄側ハウジング２１と雌側ハウジング２２とが未嵌合状態であるとき、出力部材５４を例えばコイルバネ５３との接着によって保持することなく、雄側ハウジング２１内に支持することが可能となる。これにより、コネクタ装置１０の強度を高め、かつ組み付けを容易化することができる。
【００９６】
（２）出力部材５４は、一対の壁部２１２ａ，２１２ｂにそれぞれ当接する一対の被支持部５４１，５４２の間に、コイルバネ５３の弾性力を受ける受圧部５４３が形成されているので、出力部材５４の雄側ハウジング２１内における姿勢を安定させることができる。これにより、雄側ハウジング２１と雌側ハウジング２２との嵌合を円滑に行うことができる。
【００９７】
（３）出力部材５４は、一対の被支持部５４１，５４２の突出片５４１ｂ，５４２ｂが、一対の壁部２１２ａ，２１２ｂと第１エレメント２１１の突起２１１ｉ，２１１ｊとの間に、コネクタ嵌合方向に沿った両側から挟まれるように介在するので、出力部材５４のコネクタ嵌合方向及びその逆方向への雄側ハウジング２１に対する移動が規制される。これにより、簡素な構成で出力部材５４を支持することができ、コネクタ装置１０を小型化することが可能となる。
【００９８】
（４）雄側ハウジング２１と雌側ハウジング２２との未嵌合状態で、出力部材５４がコイルバネ５３によって一対の壁部２１２ａ，２１２ｂに押し付けられるように雄コネクタ１１を構成すれば、未嵌合状態における出力部材５４の位置及び姿勢を安定させることができる。また、予めコイルバネ５３を圧縮しておくことで、雄側ハウジング２１と雌側ハウジング２２との嵌合後に積層構造を押圧する押圧力を高めることが可能となる。
【００９９】
以上、本発明の各実施の形態を説明したが、上記に記載した各実施の形態は特許請求の範囲に係る発明を限定するものではない。また、各実施の形態の中で説明した特徴の組合せの全てが発明の課題を解決するための手段に必須であるとは限らない点に留意すべきである。
【０１００】
また、本発明は、上記実施の形態に記載した構成に限らず、本発明の技術的思想を逸脱しない範囲で適宜変形して実施することが可能である。例えば、上記実施の形態では、雄側接続端子及び雌側接続端子の数がそれぞれ３である場合について説明したが、これに限らず、２又は４以上であってもよい。また、コネクタ装置の用途にも制限はない。
【符号の説明】
【０１０１】
５…押圧機構、６…蓋部材、１０…コネクタ装置、１１…雄コネクタ、１２…雌コネクタ、１４…カバー部材、２１…雄側ハウジング（第１ハウジング）、２２…雌側ハウジング（第２ハウジング）、３１ｃ…貫通孔、４１〜４４…第１〜第４絶縁部材、４１ａ，４２ａ，４３ａ…凹部、５１…回転部材、５２…カムリング、５３…コイルバネ（弾性部材）、５４…出力部材、６０…本体部、６０ａ…工具挿通孔、６１…第１の支持部、６２…第２の支持部、１３１，１３２，１３３…電線、１３１ａ，１３２ａ，１３３ａ…芯線、１３１ｂ，１３２ｂ，１３３ｂ…絶縁被膜、２１１…第１エレメント（外側ハウジング部材）、２１１ａ…筒部、２１１ｂ…フランジ部、２１１ｃ…保持孔、２１１ｄ…突起、２１１ｅ…凸部、２１１ｆ…支持突起、２１１ｇ…嵌合突起、２１１ｈ…スライド溝、２１１ｉ，２１１ｊ…突起、２１１ｊ１…第１の端面，２１１ｊ２…第２の端面、２１２…第２エレメント（内側ハウジング部材）、２１２ａ，２１２ｂ…壁部、２１２ａ１，２１２ｂ１…第１の端面、２１２ａ２，２１２ｂ２…第２の端面、２１２ｃ…端子台部、２１２ｄ…保持部、２１２ｅ…挿通孔、２１３…第３エレメント、２１３ａ…突起部、２１３ｂ…ガイド部、２１３ｃ…係合突起、２１４…環状保持部材、２２１…第１エレメント、２２１ａ…収容部、２２１ｂ…保持部、２２１ｃ…貫通孔、２２１ｄ…嵌合凹部、２２１ｅ…開口、２２２…第２エレメント、２２３，２２４…シール部材、２３１，２３２…環状シール部材、２３３〜２３７シール部材、３１１，３１２，３１３…雄側接続端子（第１接続端子）、３１１ａ，３１２ａ，３１３ａ…接触片、３１１ｂ，３１２ｂ，３１３ｂ…連結部、３１１ｃ，３１２ｃ，３１３ｃ…座金片、３２１，３２２，３２３…雌側接続端子（第２接続端子）、３２１ａ，３２２ａ，３２３ａ…接触片、３２１ｂ，３２２ｂ，３２３ｂ…加締め部、５１１…底部、５１１ａ…工具受容部、５１１ｂ…第１の凹部、５１１ｃ…第２の凹部、５１２…円筒部、５１２ａ…環状凹所、５１２ｂ…摺動突起、５２１…底部、５２２…円筒部、５２２ａ…小径部、５２２ｂ…大径部、５２２ｃ…スライド溝、５２２ｄ…凹部、５２２ｅ…ストッパ部、５２３…摺動面、５２３ａ…第１の平坦面、５２３ｂ…傾斜面、５２３ｃ…第２の平坦面、５３０…座金、５４１，５４２…被支持部、５４１ａ，５４２ａ…当接片、５４１ｂ，５４２ｂ…突出片、５４３…受圧部、６０１…突起、Ｓ１…第１の隙間、Ｓ２…第２の隙間
【図１Ａ】
0005673479.tif 000002
【図１Ｂ】
0005673479.tif 000003
【図２Ａ】
0005673479.tif 000004
【図２Ｂ】
0005673479.tif 000005
【図２Ｃ】
0005673479.tif 000006
【図３】
0005673479.tif 000007
【図４】
0005673479.tif 000008
【図５】
0005673479.tif 000009
【図６】
0005673479.tif 000010
【図７】
0005673479.tif 000011
【図８】
0005673479.tif 000012
【図９Ａ】
0005673479.tif 000013
【図９Ｂ】
0005673479.tif 000014